(57)【要約】【課題】  異物の侵入によるバリア部材の動作不良を防止する。【解決手段】  撮影レンズ(１３)と、該撮影レンズに対して光軸直交面内で開閉移動するレンズバリア部材(１２)とを有し、前記レンズバリア部材における前記撮影レンズ側の面に、前記レンズバリア部材の開閉方向に直交する方向に対して交差する方向に延びる複数の突起部(１５)が形成されていることを特徴とするカメラ。【選択図】  図３
2005173327.tif 000002
【特許請求の範囲】
【請求項１】
撮影レンズと、
該撮影レンズに対して光軸直交面内で開閉移動するレンズバリア部材とを有し、
前記レンズバリア部材における前記撮影レンズ側の面に、前記レンズバリア部材の開閉方向に直交する方向に対して交差する方向に延びる複数の突起部が形成されていることを特徴とするカメラ。
【請求項２】
前記レンズバリア部材における前記複数の突起部が形成された領域が、該レンズバリア部材の閉じ状態において前記撮影レンズに対向する領域を含むことを特徴とする請求項１に記載のカメラ。
【請求項３】
前記複数の突起部が、略等間隔で形成されていることを特徴とする請求項１又は２に記載のカメラ。
【請求項４】
前記複数の突起部が、前記レンズバリア部材における開閉方向一端から他端までの領域に形成されていることを特徴とする請求項１から３のいずれか１つに記載のカメラ。
【請求項５】
前記複数の突起部が延びる方向が、前記レンズバリア部材の開閉方向に対して略平行な方向であることを特徴とする請求項１から４のいずれか１つに記載のカメラ。
【請求項６】
前記複数の突起部が延びる方向が、前記レンズバリア部材の開閉方向に対して傾斜した方向であることを特徴とする請求項１から４のいずれか１つに記載のカメラ。
【請求項７】
前記レンズバリア部材における前記複数の突起部が形成された領域内に、該レンズバリア部材の開閉方向に対して略平行に延びる溝形状が形成されていることを特徴とする請求項６に記載のカメラ。
【請求項８】
２つの前記レンズバリア部材がそれぞれ回動して開閉移動し、
前記２つのレンズバリア部材のうち一方のレンズバリア部材に形成された前記複数の突起部は、他方のレンズバリア部材の回動軸を中心とした略同心円方向に延びることを特徴とする請求項１から４のいずれか１つに記載のカメラ。
【発明の詳細な説明】
【技術分野】
【０００１】
本発明はカメラに関し，特にバリア機構を具備したカメラに関するものである。
【背景技術】
【０００２】
図１０を用いて従来のレンズシャッターカメラの撮影レンズを保護するためにカメラの前面外装面を光軸直交面内で移動可能なスライドバリアの機構について説明する。カメラ１０１の前面に配置されたバリア１０２を光軸に直交する方向、つまり矢印１０２ｂの方向に沿って移動させるために，カメラ１０１の前面の上下両縁部には案内部１０１ａが配置されており，バリア１０２の上下両縁部の背面側に形成されたＬ字状の係合部１０２ａが該案内部１０１ａに摺動可能に係合する構成となっている。
【０００３】
カメラの非撮影時にはバリア１０２が撮影レンズ１０３及びファインダー対物レンズ１０４を覆い，カメラ使用者が手でバリア１０２を矢印１０２ｂ方向に移動させて撮影レンズ１０３を露出させることで撮影可能な状態となる。
【０００４】
また，図１１〜図１３を用いて従来のレンズシャッターカメラの鏡筒内バリア機構について説明する。これらの図において，１１１は不図示のカメラ本体に固定されている固定筒，１１２は固定筒１１１の外周面に形成された光軸方向に延びる直進溝部に沿って移動可能な直進鏡筒（以下鏡筒と記載）である。固定筒１１１の内部には鏡筒１１２と連結されたレンズ保持筒１１１１が収容され，レンズ保持筒１１１１は光軸方向に進退する鏡筒１１２と一体となって移動する。
【０００５】
鏡筒１１２の前端から後方へ入り込んだ位置に該鏡筒１１２の前端板１１２ａが配置され，該前端板１１２ａの中心には該レンズ保持筒１１１１の撮影光学系を構成する撮影開口部１１２ｂが形成されている。この開口部１１２ｂの外周部には後述のバリア羽根駆動リング１１３が光軸周りに回転可能に支持されており，バリア羽根駆動リング１１３の直前位置にはバリア羽根駆動リング１１３によって駆動される一対のバリア羽根１１４及び１１５が配置されている。
【０００６】
鏡筒１１２の前端と前端板１１２ａとの間にある空間には該撮影開口部１１２ｂよりも大きな中心孔を有したバリアカバー１１９がバリア羽根１１４及び１１５の直前位置に配置されている。バリア羽根１１４は鏡筒１１２の前端板１１２ａに光軸方向に突出したピン１１２ｃを孔１１４ａに係合させることにより回動可能に支持され，バリア羽根１１５は同じく前端板１１２ａに突出したピン１１２ｄを孔１１５ａに係合させることにより回動可能に支持されている。
【０００７】
バリア羽根１１４の孔１１４ａの近傍位置には該バリア羽根駆動リング１１３により駆動されるピン１１４ｂが光軸方向に突出して設けられており，該ピン１１４ｂは前記バリア羽根駆動リング１１３の外周縁に形成された切り欠き部１１３ａ内に配置されている。
【０００８】
そして，ピン１１４ｃにはばね１１７の一端が掛けられ，該ばね１１７の他端は該バリア羽根駆動リング１１３に形成されているフック１１３ｄに掛けられている。すなわち，該バリア羽根１１４は該ばね１１７により孔１１４ａを中心として図１１においてバリア閉じ方向に付勢されている。同様に，バリア羽根１１５の孔１１５ａの近傍位置には該バリア羽根駆動バリア羽根駆動リング１１３により駆動されるピン１１５ｂが突出して設けられており，該ピン１１５ｂは前記バリア羽根駆動リング１１３の外周縁に形成された切り欠き部１１３ｂ内に配置されている。
【０００９】
そして，ピン１１５ｃには，ばね１１８の一端が引っ掛けられ，他端は該バリア羽根駆動リング１１３に形成されたフック１１３ｅに掛けられている。すなわち，該バリア羽根１１５は該ばね１１８により孔１１５ａを中心として図１１においてバリア閉じ方向に付勢されている。バリア羽根１１４及び１１５の外周縁には該バリア羽根の前面方向に突出するレール状の突部１１４ｄ及び１１５ｄが形成されており，該突部１１４ｄ及び１１５ｄは該バリア羽根の直前位置に配置されているバリアカバー１１９の鉛直端板部１１９ａに摺接するように構成されている。
【００１０】
該突部１１４ｄ及び１１５ｄは該バリア羽根が光軸直交面に対して平行に移動できるようにするための摺動案内部となっている。バリア羽根駆動リング１１３は，前述したように各バリア羽根１１４及び１１５を閉じ方向に付勢するためのばね１１７及び１１８を掛けるフック１１３ｄ及び１１３ｅと，該バリア羽根１１４のピン１１４ｂと係合する切り欠き部１１３ａと，該バリア羽根１１５のピン１１５ｂと係合する切り欠き部１１３ｂとを有するとともに，該バリア羽根駆動リング１１３を図１１においてバリア羽根を閉じ方向に付勢するばね１１６の一端を掛けるためのフック１１３ｃを有しており，該ばね１１６の他端は鏡筒１１２の前端板１１２ａに突出されたピン１１２ｅに掛けられている。
【００１１】
また，該バリア羽根駆動リング１１３の外周部には半径方向外側に突出するとともに光軸に沿って鏡筒後方側へ延出するフォロワーアーム１１３ｆが形成されており，該フォロワーアーム１１３ｆは固定筒１１１の前端側内周面に形成された斜向カム面１１１ａに当接するようになっている。
【００１２】
従って，鏡筒１１２が光軸に沿って後方移動するとフォロワーアーム１１３ｆは固定筒１１１の斜向カム面１１１ａに沿って滑り，その結果該カム面１１１ａから受ける反力により該バリア羽根駆動リング１１３が光軸を中心として図１１において時計方向に回転され，後述のようにバリア羽根１１４及び１１５が該バリア羽根駆動リング１１３により閉じ方向に駆動されるようになっている。
【発明の開示】
【発明が解決しようとする課題】
【００１３】
図１０に説明した従来のカメラのスライドバリア機構では，バリア開閉に伴うカメラ本体および撮影レンズへの傷の発生を防ぐためにバリアとカメラ，ならびにバリアと撮影レンズとの間に空隙が設けられているが，該空隙に砂，ゴミ等の異物が堆積する可能性がある。その結果，空隙に堆積した砂，ゴミ等の異物によりバリアの動作不良やカメラ本体，レンズ鏡筒および撮影レンズに傷を発生させる危険性もあった。
【００１４】
また，図１１〜図１３に説明した従来のカメラの鏡筒内バリア機構では，各バリア羽根１１４及び１１５の全外周に渡ってレール状の突部１１４ｄ及び１１５ｄが形成されている。そのため，該突部１１４ｄ及び１１５ｄがバリアカバー１１９と該バリア羽根１１４及び１１５との間の空隙に堆積した砂，ゴミ等の異物１１１０の受け皿となってしまい，該空隙には一層多くのゴミ等の異物が堆積する。
【００１５】
その結果，該空隙に堆積した砂，ゴミ等の異物１１１０により該バリア羽根の動作が妨げられ，該バリア羽根の動作途中で該バリア羽根の動作が停止してしまい，該バリア羽根が開かなくなったり，閉じなくなってしまうという事故を生じる危険性があった。また，この堆積した異物により撮影レンズおよびレンズ鏡筒に傷を発生させる危険性もあった。
【課題を解決するための手段】
【００１６】
上述の課題を解決するために本願発明のカメラの第１の構成は、撮影レンズと、撮影レンズに対して光軸直交面内で開閉移動するレンズバリア部材とを有し、レンズバリア部材における撮影レンズ側の面に、レンズバリア部材の開閉方向に直交する方向に対して交差する方向に延びる複数の突起部が形成されていることを特徴とする。
【００１７】
ここで、レンズバリア部材における複数の突起部が形成された領域を、レンズバリア部材の閉じ状態において撮影レンズに対向する領域を含むように構成するとよい。
【００１８】
また、複数の突起部を、略等間隔で形成してもよい。複数の突起部を、レンズバリア部材における開閉方向一端から他端までの領域に形成するとよい。
【００１９】
複数の突起部が延びる方向を、レンズバリア部材の開閉方向に対して略平行な方向としてもよい。複数の突起部が延びる方向を、レンズバリア部材の開閉方向に対して傾斜した方向としてもよい。レンズバリア部材における複数の突起部が形成された領域内に、レンズバリア部材の開閉方向に対して略平行に延びる溝形状を形成してもよい。
【００２０】
２つのレンズバリア部材がそれぞれ回動して開閉移動し、２つのレンズバリア部材のうち一方のレンズバリア部材に形成された複数の突起部を、他方のレンズバリア部材の回動軸を中心とした略同心円方向に延びるように形成してもよい。
【発明の効果】
【００２１】
本願発明の第１の構成によれば、複数の突起部の間に溝が形成されるので、その溝を利用してゴミを排出することができる。
【００２２】
また、レンズバリア部材における複数の突起部が形成された領域を、レンズバリア部材の閉じ状態において撮影レンズに対向する領域を含むように構成することにより、撮影レンズとレンズバリア部材の間に侵入した異物を複数の突起部の間の溝に逃がすことができるため、レンズバリア部材を開閉移動させたときに異物が撮影レンズを傷つけるのを防止することができる。
【００２３】
複数の突起部を、レンズバリア部材における開閉方向一端から他端までの領域に形成することにより、複数の突起部の間に侵入した異物を一端及び他端から確実に取り除くことができる。
【発明を実施するための最良の形態】
【００２４】
本発明の実施例は以下の通りである。
【実施例１】
【００２５】
図１に本発明の実施例１のバリア装置を具備したカメラの斜視図を示す。図１に示すように，カメラ本体１１に設けられた撮影レンズ１３の前方にはバリア部材１２が光軸方向と垂直な方向（矢印１２ｂの方向）に摺動可能に設けられており，非撮影状態ではバリア部材１２は撮影レンズ１３を覆う位置に配置され，撮影レンズ１３を保護している。
【００２６】
バリア部材１２は，カメラ本体１１に設けられた案内部１１ａとバリア部材１２に設けられた案内部１２ａによって撮影光軸と直交する方向（矢印１２ｂ方向）に摺動可能に取り付けられており，撮影レンズ１３から退避する位置にバリア部材１２を手動もしくは電動でスライド移動させることで撮影可能状態となる。
【００２７】
バリア部材１２の左右方向(矢印１２ｂ方向)の移動量はカメラ本体１１およびバリア部材１２に設けられた案内部１１ａ，１２ａによって規制されている。図２はバリア部材１２の背面図であり，バリア部材１２の中央部分には撮影レンズ１３が投影されている。同図に示すように、沈胴時(非撮影状態)において、バリア部材１２は撮影レンズ１３に対向する領域を覆っている
バリア部材１２の裏面つまり撮影レンズ１３側の面には，図２に示すようにバリア部材１２を摺動させるための案内部１２ａとは異なる溝部１５がバリア部材１２の摺動方向（矢印１２ｂ方向）に沿って略等間隔で複数設けられており，バリア部材１２に配置される複数の溝部１５の断面は，図３に示すように、バリア部材１２の開閉方向(矢印１２ｂ方向)に直交する方向に対して交差する方向に延びる複数の突起(突条)形状となっている。なお、後述する実施例２〜実施例４のバリア部材にも、バリア部材１２の開閉方向(矢印１２ｂ方向)に直交する方向に対して交差する方向に延びる複数の突起(突条)部が形成されている。すなわち、複数の突条が形成されているその間に溝が形成されている。
【００２８】
カメラを通常使用する際に，撮影者の意図しない砂，ごみ等の異物がカメラ本体１１とバリア部材１２，およびバリア部材１２と撮影レンズ１３との間に進入し堆積する場合がある。この際，カメラ本体１１とバリア部材１２およびバリア部材１２と撮影レンズ１３との間に堆積した砂，ごみ等の異物によってバリア部材１２のスライド動作が妨げられ、撮影を行うことができないことがある。
【００２９】
また，カメラ１１とバリア部材１２およびバリア部材１２と撮影レンズ１３との間に異物が噛み込んでバリア部材１２の動作不良状態時に，無理にバリア部材１２を操作するとカメラ本体１１や撮影レンズ１３を傷つけるおそれがある。
【００３０】
しかし本実施例で説明する溝部１３を設けたバリア部材１２を有するカメラによれば、カメラ本体１１とバリア部材１２との間の空隙に異物が侵入した場合であっても，断面が三角形状から成る複数の溝部１５が形成されているため，進入した砂，ごみ等の異物は溝部１５に堆積することになる。
【００３１】
したがって、カメラ本体１１とバリア部材１２の間に異物が噛み込むことによるカメラ本体１１および撮影レンズ１３への傷の発生を防ぐことができる。さらに，バリア部材１２に設けられる溝部１５はバリア部材１２の移動方向（図１における矢印１２ｂ方向）に沿って形成され，かつ，バリア部材の端部１２ｃにおいて溝部１５は開いた形状を構成しているため(溝部１５はバリア部材１２の矢印１２ｂ方向の一端から他端まで延びているため)、容易にカメラ本体１１とバリア部材１２との間に蓄積された異物をバリア部材１２の一端または他端から排出することができる。その結果，該空隙に砂，ごみ等の異物が堆積するのを防止することができる。
【００３２】
本実施例では，光軸と直交する方向（図１における１２ｂ方向）にスライド移動可能なバリア部材１２において，断面が三角形状からなる複数の溝部１５を設けたが，溝部１５の断面形状および複数配置される溝の数などはこれに限定されるものではなく，たとえば，図４，図５に示すような円弧から構成される断面や，多角形状からなる断面により溝部１５を構成しても良い。
【実施例２】
【００３３】
図１および図６を用いて本実施例の説明を行う。図１に示すように，カメラ本体１１の撮影レンズ１３の前方にはバリア部材１２が光軸方向と垂直な方向（矢印１２ｂの方向）に摺動可能に設けられており，非撮影状態ではバリア部材１２は撮影レンズ１３を覆う位置に配置され，撮影レンズ１３を保護している。
【００３４】
バリア部材１２は，カメラ本体１１に設けられた案内部１１ａおよびバリア部材１２に設けられた案内部１２ａによって撮影光軸と直交する方向，すなわち，カメラ１１の左右方向（矢印１２ｂ方向）に摺動可能に取り付けられており，撮影レンズ１３から退避する位置にバリア部材１２を手動または自動でスライド移動させることで撮影可能状態となる。バリア部材１２の左右方向の移動量(矢印１２ｂ方向)はカメラ本体１１およびバリア部材１２に設けられた案内部１１ａ，１２ａによって規制されている。
【００３５】
図６は本実施例のバリア部材１２の背面を示した図であり，バリア部材１２の中央部には撮影レンズ１３が投影されている。同図に示すように、沈胴時(非撮影状態)において、バリア部材１２は撮影レンズ１３に対向する領域を覆っている。
【００３６】
バリア部材１２の裏面つまり撮影レンズ１３側の面には，バリア部材１２を移動させるための案内部１２ａとは異なる溝部１６がバリア部材１２の移動方向（１２ｂ方向）に対して傾斜して略等間隔で複数設けられている。バリア部材１２に配置される複数の溝部１６の断面は，実施例１で説明した図３に示す三角形状で構成されている。すなわち、複数の突条が形成されているその間に溝が形成されている。
【００３７】
カメラを通常使用する際に，撮影者の意図しない砂，ごみ等の異物がカメラ本体１１とバリア部材１２との間に進入する場合があるが，本第２の実施例で説明するカメラにおいては，カメラ本体１１とバリア部材１２との間の空隙に砂，ごみ等の異物が侵入した場合であっても，実施例１と同様にバリア部材１２には複数の溝部１６が形成されているため，進入した異物はバリア部材１２に設けられた溝部１６に堆積される。これにより、カメラ本体１１とバリア部材１２との間に砂，ごみ等の異物が噛み込んだ状態で、バリア部材１２をスライド移動させた場合であっても、カメラ本体１１および撮影レンズ１３を傷つけるおそれがない。
【００３８】
さらに，バリア部材１２に設けられる複数の溝部１６はバリア部材１２のスライド方向（１２ｂ方向）に対して傾斜して配置されるため，バリア部材１２の左右方向（１２ｂ方向）の移動，すなわちバリア開閉動作によってバリア部材の溝部１６に入り込んだ異物を自動的にバリア部材１２外に排出することが可能となる。
【００３９】
また，バリア部材１２の端部１２ｃにおいて，溝部１６は開いた形状を構成しているため，溝部１６に蓄積された砂，ごみ等の異物を容易にバリア部材１２外に排出させることが可能となり，カメラ本体１１とバリア部材１２およびバリア部材１２と撮影レンズ１３との間の空隙に砂，ごみ等の異物が堆積するのを防止することができる。
【００４０】
本実施例では，断面が三角形状からなる複数の溝部１６を有したバリア部材１２を例として説明を行ったが，溝部１６の断面形状はこれに限定されるものではなく，第１の実施例と同様に例えば，図４に示すような円弧から構成される断面や，図５に示すような多角形状からなる断面など，更にはこれらを組み合わせることによって複数の溝部を構成しても良い。
【００４１】
また，同様に本第２の実施形態例では図６に示したように右上がりに傾斜した溝部１６からなるバリア部材１２を用いて説明を行ったが，バリア部材１２に設ける溝部１６の傾斜方向および傾斜角さらに溝の本数などはこれらに限るものではなく，たとえばバリア部材１２の上下方向を中心に上半分は右上がりの溝，下半分は右下がりの溝などと組み合わせて溝部を形成するなどの構成にしても良い。
【実施例３】
【００４２】
図１および図７を用いて本実施例について説明する。図１は本実施例のバリア部材を搭載したカメラの斜視図である。図１に示すように，カメラ本体１１の撮影レンズ１３の前方にはバリア部材１２が設けられており，非撮影状態ではバリア部材１２は撮影レンズ１３を覆う位置に配置され，撮影レンズ１３を保護している。
【００４３】
バリア部材１２は，カメラ本体１１およびバリア部材１２に設けられた案内部１１ａ，１２ａによって撮影光軸と直交する方向，すなわち，図１に示されるカメラ１１の左右方向（矢印１２ｂ方向）にスライド移動可能に取り付けられており，撮影レンズ１３から退避する位置にバリア部材１２を手動または自動でスライドさせることで撮影可能状態となる。
【００４４】
バリア部材１２の左右方向の移動量はカメラ本体１１およびバリア部材１２に設けられた案内部１１ａ，１２ａの長さによって規制されている。図７は本実施例におけるカメラ１１に組み付けられたバリア部材１２の背面を示した図であり，バリア部材１２の中央部には撮影レンズ１３が投影されている。同図に示すように、沈胴時(非撮影状態)において、バリア部材１２は撮影レンズ１３に対向する領域を覆っている。
【００４５】
バリア部材１２の裏面つまり撮影レンズ１３側の面には，バリア部材１２を移動させるための案内部１２ａとは異なる溝部１７が設けられており，この溝部１７は，バリア部材１２の移動方向（矢印１２ｂ方向）に対して傾斜して配置される複数の溝部１７ａと該移動方向に沿った方向に設けられる溝部１７ｂとから構成されている。すなわち、複数の突条が形成されているその間に溝が形成されている。
【００４６】
バリア部材１２に配置される複数の溝部１７の断面は，図３に示されるような三角形状をなしている。カメラを通常使用する際に，撮影者の意図しない砂，ごみ等の異物がカメラ本体１１とバリア部材１２との間の空隙に進入し，バリア部材１２の動作を妨げる場合があるが，本実施例のカメラでは，カメラ本体１１とバリア部材１２との間の空隙に砂，ごみ等の異物が侵入しても，複数の溝部１７を形成することで，進入した異物はバリア部材１２に設けられた溝部１７に堆積される。
【００４７】
そのため，カメラ本体１１とバリア部材１２との間の空隙に異物が噛み込んでカメラ本体１１，撮影レンズ１３に傷ができるのを防止することができる。バリア部材１２に設けられる溝部１７ａはバリア部材１２の移動方向（１２ｂ）に対して傾斜して配置されているため，バリア部材１２の左右方向の移動すなわちバリア部材１２の開閉動作によってバリア部材の溝部１７ａに入り込んだ異物が自動的バリア部材１２外に排出される。
【００４８】
一方，直接バリア部材１２外に排出されない異物はバリア部材１２の移動方向に沿って配置された溝部１７ｂに一度堆積され，その後バリア部材１２外に排出される。この際，バリア部材１２の端部において溝部１７ａ，１７ｂは開いた形状から構成されているため，溝部１７に堆積された砂，ごみ等の異物は容易にバリア部材１２外に排出することが可能となる。その結果，カメラ本体１１とバリア部材１２との間の空隙に砂，ごみ等の異物が堆積するのを防止することができる。
【００４９】
本実施例では，断面が三角形状からなる複数の溝を有したバリア部材を例として説明を行ったが，溝の断面形状はこれに限定されるものではなく，たとえば，図４に示すような円弧から構成される断面や，図５に示すような多角形状から構成される断面，もしくはこれらを組み合わせた形状により構成してもよい。
【００５０】
同様に本実施例では図７に示したような右上がりに傾斜した溝部１７ａとバリア部材１２中央部に移動方向（１２ｂ）に沿った一つの溝部１７ｂとからなるバリア部材１２を用いて説明を行ったが，たとえばバリア部材上半分は右上がりの溝，下半分は右下がりの溝，かつ中央にバリア部材１２のスライド方向に沿った溝部を設けたバリア部材としてもよい。また、傾斜方向ならびに傾斜角，さらには溝の数などこれに限るものではなく，各種組み合わせて構成しても良い。
【００５１】
なお、上述の実施例１〜３では、バリア部材１２の背面側に突条が形成されており、バリア部材１２が光軸方向に動いたときに、バリア部材１２に形成された溝部１５〜１７の頂部(溝形状部のうち最もカメラ本体１１に近い部分)がカメラ本体１１の前面に当接するため、バリア部材１２が光軸方向に大きく動くのを防止することが出来る。
【実施例４】
【００５２】
図８は本実施例のバリア部材を具備したカメラ１８の正面斜視図である。本実施例のバリア装置は、鏡筒１９の光軸方向の動作に連動してバリア羽根２０が光軸直交面内で開閉駆動する鏡筒内バリアであり，バリア羽根２０は図９で示す撮影レンズ４０を保護している。図９は本実施例のバリア羽根２０の背面を示した図であり，バリア羽根２０の中央部には撮影レンズ４０が投影されている。
【００５３】
図９に示すように，バリア羽根２０の裏面つまりバリア羽根２０の撮影レンズ側の面には，バリア羽根２０を案内する図示しないレール等の案内部とは異なる複数の溝部２１がバリア羽根の回転軸２２に対して同心円上に設けられており，バリア羽根２０に設けられる複数の溝部２１の断面は図４に示す三角形状となっている。すなわち、複数の突条が形成されているその間に溝が形成されている。
【００５４】
カメラ１８を通常使用する際に，撮影者の意図しない砂，ゴミ等の異物がバリア羽根２０と撮影レンズ４０との間の空隙に侵入し，バリア羽根２０の開閉駆動を妨げる場合がある。この場合，本実施例のバリア羽根２０が搭載されたカメラ１８では，バリア羽根２０と撮影レンズ４０との間の空隙に進入した異物はバリア羽根２０に設けられている複数の溝部２１に堆積される。
【００５５】
そのため，バリア羽根２０と撮影レンズ４０との間の空隙に侵入した砂，ごみ等の異物を噛み込んでしまうことにより撮影レンズが傷つくのを防止することができる。さらに，バリア羽根２０と撮影レンズ４０との間の空隙に侵入した砂，ごみ等の異物によるバリア羽根２０の食い付きによる開閉動作不良も防ぐことができるため，撮影時にバリア羽根２０が開ききらないことに起因する撮影の失敗を防止することが可能となる。
【００５６】
本実施例では，バリア羽根２０に設けられた複数の溝部２１は断面が三角形状から構成された例を用いて説明を行ったが，溝部の断面形状はこれに限定されるものではなく，たとえば，図４に示すような連続した円弧から構成される断面や，図５に示すような多角形状から構成される断面からなる溝部をバリア羽根に設けても良い。またこれらを組み合わせることで溝部を構成しても良い。さらには溝部の数もこれに限定されるものではない。
【００５７】
以上説明したように，上述の実施例によれば，撮影レンズの光軸方向前方で，撮影レンズを保護するためにカメラの前面外装面を光軸方向と直交する方向に略平行に移動可能なバリア装置において，バリア装置の撮影レンズ側の面にバリア移動方向に沿って設けられた案内部とは異なる複数の溝部を設けることで，バリア部材とカメラの外装部材，鏡筒および撮影レンズとの間の空間が増大し，該空隙に砂，ゴミ等の異物が堆積し難くなる。
【００５８】
従ってバリアと外装部材，バリアと鏡筒およびバリアと撮影レンズとの間に砂，ゴミ等の異物が噛み込んでしまい傷を発生させる恐れが無くなる。さらにバリアに設けられている複数の溝部はバリア端部で開いている形状であるためバリアと外装部材，バリアと鏡筒およびバリアと撮影レンズとの空隙に侵入した砂，ゴミ等の異物がバリア端部から容易に排出されるので該空隙に砂，ゴミ等の異物が堆積し続けることが無く，従って該バリアの開閉動作に支障をきたす恐れがなくなる。
【００５９】
また，撮影レンズ光軸方向前方で，前記撮影レンズを保護するために鏡筒内にバリア羽根を有し，鏡筒の光軸方向の動作に連動して開閉されるバリア装置において，前記バリア羽根の撮影レンズ側の面にバリア羽根の開閉動作を案内するための案内部とは異なる複数の溝部を設けることで，バリア羽根と撮影レンズとの間の空隙が増大する。そのため，該空隙に砂，ゴミ等の異物が堆積し難くなり，従ってバリア羽根と撮影レンズとの間に砂，ゴミ等の異物が噛み込んでしまい撮影レンズに傷を発生させる恐れが無くなる。
【００６０】
さらにバリア羽根に設けられている複数の溝部はバリア端部で開いている形状から構成されるためバリアと撮影レンズとの間に侵入した砂，ゴミ等の異物がバリア端部から容易に排出されるので該空隙に堆積し続けることが無く，バリア羽根の開閉動作に支障をきたす恐れがなくなった。その結果，撮影時にバリア羽根が開ききらないことに起因する撮影の失敗も防ぐことが可能となった。
【図面の簡単な説明】
【００６１】
【図１】本発明の実施例１から実施例３のバリア部材を設けたカメラの斜視図
【図２】実施例１のバリア部材の背面図
【図３】図２におけるＡ−Ａ断面図
【図４】バリア部材の変形例を示した図
【図５】バリア部材の変形例を示した図
【図６】実施例２のバリア部材の背面図
【図７】実施例３のバリア部材の背面図
【図８】実施例４のバリア羽根を設けたカメラの斜視図
【図９】実施例４のバリア羽根の背面図
【図１０】従来のカメラのスライドバリア機構を示す斜視図
【図１１】従来のカメラの鏡筒内バリア機構を示す正面図
【図１２】図１１におけるＡ−Ａ断面図（バリア開状態）
【図１３】図１１におけるＡ−Ａ断面図（バリア閉状態）
【符号の説明】
【００６２】
１１，１８：カメラ本体
１２：バリア部材
１２ａ：案内部
１２ｂ：バリア部材移動方向
１３：撮影レンズ
１５，１６，１７，２１：溝
１９：レンズ鏡筒
２０：バリア羽根
２１：バリア羽根回転中心
【図１】
2005173327.tif 000003
【図２】
2005173327.tif 000004
【図３】
2005173327.tif 000005
【図４】
2005173327.tif 000006
【図５】
2005173327.tif 000007
【図６】
2005173327.tif 000008
【図７】
2005173327.tif 000009
【図８】
2005173327.tif 000010
【図９】
2005173327.tif 000011
【図１０】
2005173327.tif 000012
【図１１】
2005173327.tif 000013
【図１２】
2005173327.tif 000014
【図１３】
2005173327.tif 000015